(57)【特許請求の範囲】
【請求項１】
通話機能を備えた第１のコンピュータと、交換機能を備えた第２のコンピュータとをコンピュータネットワーク上で接続してなるマルチメディア通信システムに於いて、
前記第１のコンピュータに、
自コンピュータの最大通話数を前記第２のコンピュータへ通知する通知手段を具備し、
前記第２のコンピュータに、
前記第１のコンピュータの実通話数と最大通話数を記憶する記憶手段と、
前記第１のコンピュータへの着信時に、着信先となる前記第１のコンピュータの実通話数が最大通話数に達しているか否かを判断し、最大通話数に達していなければ着信させ、最大通話数に達していれば着信させずビジー状態にする交換制御手段と、
前記第１のコンピュータから前記通知手段により前記最大通話数が通知されたとき、当該通知された最大通話数が前記記憶手段に記憶している実通話数以上であるか否かを判定し、実通話数以上であるとき、前記記憶手段に記憶している前記第１のコンピュータの最大通話数を前記通知手段により通知された最大通話数に変更し、実通話数未満であるとき、前記通知手段により通知された最大通話数への変更を拒否する最大通話数の変更手段とを有して、
前記第２のコンピュータに、前記第１のコンピュータの最大通話数を、前記第１のコンピュータからの通知をもとに変更する手段を設けたことを特徴とするマルチメディア通信システム。
【発明の詳細な説明】
【０００１】
【発明の属する技術分野】
本発明は、通話機能を備えたコンピュータと、ネットワーク機器と、交換機能を備えたコンピュータとをコンピュータネットワーク上で接続してなるマルチメディア通信システムに関する。
【０００３】
【従来の技術】
従来、構内ネットワークシステムに於いては、音声通信系とデータ通信系とで別々の通信インフラを敷設する必要があった。そこで、特願平９−１６１７２２号（マルチメディア通信情報システム）に於いて、コンピュータネットワークの接続インタフェース、音声入出力手段、電話機能等を備えたコンピュータと、公衆電話網とコンピュータネットワークとの接続インタフェース、プロトコル変換手段等を備えたネットワーク機器と、コンピュータネットワーク接続インタフェース、交換処理手段等を備えたコンピュータとをコンピュータネットワークで接続したマルチメディア通信システムを提唱した。
【０００４】
上記したマルチメディア通信システムに於いては、経済的に有利なシステムを構築できるが、交換処理手段を備えたコンピュータに於ける、音声入出力手段、電話機能等を備えたコンピュータの交換制御について有効かつ効率的な運用管理については実現されていなかった。即ち、上記したマルチメディア通信システムに於いては、システム内に於ける通話機能をもつコンピュータ各々を有効に稼動できる交換制御機能が存在しなかった。
【０００５】
【発明が解決しようとする課題】
上述したように従来のマルチメディア通信システムに於いては、システム内の交換制御について有効かつ効率的な運用管理が実現されていなかった。
【０００６】
本発明は上記実情に鑑みなされたもので、音声入出力手段、電話手段等の通話機能を備えたコンピュータと、プロトコル変換手段を備えたネットワーク機器と、交換機能を備えたコンピュータとをコンピュータネットワーク上で接続してなるマルチメディア通信システムに於いて、通話機能をもつコンピュータを常に有効に稼動できる交換制御機能を備えたマルチメディア通信システムを提供することを目的とする。
【０００８】
【課題を解決するための手段】
本発明は、通話機能を備えた第１のコンピュータと、交換機能を備えた第２のコンピュータとをコンピュータネットワーク上で接続してなるマルチメディア通信システムに於いて、前記第１のコンピュータに、自コンピュータの最大通話数を前記第２のコンピュータへ通知する通知手段を具備し、前記第２のコンピュータに、前記第１のコンピュータの実通話数と最大通話数を記憶する記憶手段と、前記第１のコンピュータへの着信時に、着信先となる前記第１のコンピュータの実通話数が最大通話数に達しているか否かを判断し、最大通話数に達していなければ着信させ、最大通話数に達していれば着信させずビジー状態にする交換制御手段と、前記第１のコンピュータから前記通知手段により前記最大通話数が通知されたとき、当該通知された最大通話数が前記記憶手段に記憶している実通話数以上であるか否かを判定し、実通話数以上であるとき、前記記憶手段に記憶している前記第１のコンピュータの最大通話数を前記通知手段により通知された最大通話数に変更する最大通話数の変更手段とを有して、
前記第２のコンピュータに、前記第１のコンピュータの最大通話数を、前記第１のコンピュータからの通知をもとに変更する手段を設けたことを特徴とする。
【００１１】
また本発明は、上記マルチメディア通信システムに於いて、上記通話機能を備えたコンピュータに、自コンピュータの最大通話数を上記交換機能を備えたコンピュータへ通知する手段を有し、上記交換機能を備えたコンピュータに、上記通知された最大通話数が記憶している実通話数以上であるとき、記憶している最大通話数を通知された最大通話数に変更し、実通話数未満であるとき上記最大通話数の変更を拒否する手段を有して、実通話数が最大通話数よりも大きくならないように制御することを特徴とする。
【００１２】
また本発明は、通話機能を備えた複数のコンピュータと、ネットワーク機器と、交換機能を備えたコンピュータとをコンピュータネットワーク上で接続してなるマルチメディア通信システムに於いて、上記交換機能を備えたコンピュータに、上記通話機能を備えた複数のコンピュータの実通話数と最大通話数を記憶する手段と、上記通話機能を備えたコンピュータの少なくとも一つの状態通知先コンピュータに上記実通話数と最大通話数を通知する手段とを有し、上記状態通知先コンピュータに、上記交換機能を備えたコンピュータから通知された上記実通話数と最大通話数を記憶する手段と、転送先となる上記通話機能を備えたコンピュータの実通話数が最大通話数に達しているか否かを判断し、最大通話数に達していなければ転送のための発信を行なう交換制御手段とを有することを特徴とする。
【００１３】
上記したような交換機能を備えることにより、音声入出力手段、電話機能等の通話機能をもつシステム内の各コンピュータを常に有効に稼動できるマルチメディア通信システムが実現できる。
【００１４】
【発明の実施の形態】
以下図面を参照して本発明の実施形態を説明する。
【００１５】
図１は本発明の実施形態に於けるマルチメディア通信システムの構成を示すブロック図である。
【００１６】
図中、１０，１０，…は通話機能を備えたコンピュータ（ＰＣ）、２０，２０は公衆電話網との接続インタフェース機能を備えたネットワーク機器（ＭＭＲ）、３０，３０は交換機能を備えたコンピュータ（ＧＫ）であり、それぞれコンピュータネットワーク（Ｌ）を介して相互に接続される。尚、ネットワーク機器（ＭＭＲ）２０と交換機能を備えたコンピュータ（ＧＫ）３０とを各々１つ設けた構成であってもよい。
【００１７】
上記図１に示すマルチメディア通信システムに於ける構成要素のうち、通話機能を備えた複数（ｎ）のコンピュータ（ＰＣ）１０には、それぞれコンピュータネットワーク接続インタフェースと音声入出力手段と電話機能とが設けられる。またネットワーク機器（ＭＭＲ）２０には、公衆電話網とコンピュータネットワークとの接続インタフェース、及びプロトコル変換手段が設けられる。また交換機能を備えたコンピュータ（ＧＫ）３０には、ネットワーク機器（ＭＭＲ）２０と通話機能を備えたコンピュータ（ＰＣ）１０とを接続するために、システム内の各装置を対象としたアドレス管理手段を含む交換処理手段が設けられるとともに、図２乃至図１１を用いて後述する各種の交換制御機能をもつ処理手段が設けられる。また、コンピュータ（ＧＫ）３０の内部メモリには複数の通話機能を備えたコンピュータ（ＰＣ）１０の実通話数と最大通話数が記憶されていて、実通話数は通話接続が行われる度に加算され、通話切断が行われる度に減算されるよう制御される。
【００１８】
図２乃至図１２はそれぞれ本発明の実施形態に於ける交換制御処理動作並びにその各機能を説明するための図であり、ここでは各交換制御処理毎に最小のシステム構成を例示している。
【００１９】
ここでは、以降の動作説明を分かり易くするために、上記通話機能を備えたコンピュータ（ＰＣ）１０，１０，…に、それぞれ固有の内線番号（内線１，内線２，…内線ｎ）を付し、ネットワーク機器（ＭＭＲ）２０に、それぞれ固有の機器番号（ＭＭＲ１，ＭＭＲ２）を付して、通話機能を備えたコンピュータ（ＰＣ）１０，１０，…を「内線１のコンピュータ（ＰＣ）１０」、「内線２のコンピュータ（ＰＣ）１０」等と称し、機器番号ＭＭＲ１のネットワーク機器（ＭＭＲ）２０を「マルチメディアルータ（ＭＭＲ１）」と称し、交換機能を備えたコンピュータ３０を「ゲートキーパ（ＧＫ）」と称す。
【００２０】
ここで、上記各図を参照して本発明の実施形態に於ける動作を説明する。
【００２１】
先ず図１乃至図３を参照して本発明の第１実施形態を説明する。
【００２２】
この第１実施形態は、図１に示すマルチメディア通信システムに於いて、マルチメディアルータ（ＭＭＲ１）からの通話接続要求を受けたゲートキーパ（ＧＫ）３０に、着信先となる、内線ｉ（ｉ＝１，２，…ｎ）のコンピュータ（ＰＣ）１０の実通話数が最大通話数に達しているか否かを判断し、最大通話数に達していなければ着信させ、最大通話数に達していれば着信させず、設定した最大通話数と同じ数の通話を取り扱った時点でをビジー状態と判定する交換制御手段を設けて、ゲートキーパ（ＧＫ）３０が、内線ｉのコンピュータ（ＰＣ）１０の最大通話数と実通話数に基づき、当該コンピュータのビジー状態を判断する構成としている。これにより、例えば内線ｉのコンピュータ（ＰＣ）１０に対する着信要求に対し、実際にネットワークリソースを使用して内線ｉのコンピュータ（ＰＣ）１０に着信させ、当該通話機能を備えた内線ｉのコンピュータ（ＰＣ）１０によってビジー状態を判断するのではなく、ゲートキーパ（ＧＫ）３０にて内線ｉのコンピュータ（ＰＣ）１０のビジー状態を直ちに判定してマルチメディアルータ（ＭＭＲ１）に切断信号を通知することができる。
【００２３】
先ず図２を参照して、内線１のコンピュータ（ＰＣ）１０の実通話数が「２」、最大通話数が「３」の場合に、マルチメディアルータ（ＭＭＲ１）２０から内線１のコンピュータ（ＰＣ）１０への新規着信がある際の動作について説明する。尚、「２」、「３」はゲートキーパ（ＧＫ）３０内のメモリに記憶されている値（以下も同様である）を示している。
【００２４】
処理（１）
ゲートキーパ（ＧＫ）３０がマルチメディアルータ（ＭＭＲ１）２０より内線１のコンピュータ（ＰＣ）１０に対する呼接続信号を受信する。
【００２５】
処理（２）
ゲートキーパ（ＧＫ）３０は内線１のコンピュータ（ＰＣ）１０の最大通話数「３」、実通話数「２」より、着信可能と判断し、内線１のコンピュータ（ＰＣ）１０に呼接続信号を中継し、内線１のコンピュータ（ＰＣ）１０の実通話数を「２」から「３」に加算する。
【００２６】
処理（３）
内線１のコンピュータ（ＰＣ）１０が呼接続信号を受信し、応答することにより、マルチメディアルータ（ＭＭＲ１）２０を介して内線１のコンピュータ（ＰＣ）１０と外線との間の通話が確立される。
【００２７】
次に、図３を参照して、内線１のコンピュータ（ＰＣ）１０の実通話数が「３」、最大通話数が「３」の場合に、マルチメディアルータ（ＭＭＲ１）２０を介して外線（ＭＭＲ）から内線１のコンピュータ（ＰＣ）１０への新規着信がある際の動作について説明する。
【００２８】
処理（１）
ゲートキーパ（ＧＫ）３０がマルチメディアルータ（ＭＭＲ１）２０より内線１のコンピュータ（ＰＣ）１０に対する呼接続信号を受信する。
【００２９】
処理（２）
ゲートキーパ（ＧＫ）３０は内線１のコンピュータ（ＰＣ）１０の最大通話数「３」、実通話数「３」より、ビジーと判断し、マルチメディアルータ（ＭＭＲ１）２０に呼接続信号に対する切断信号を送信する。これにより呼は切断される。
【００３０】
以上のように、ゲートキーパ（ＧＫ）３０が最大通話数と実通話数に基づき内線１のコンピュータ（ＰＣ）１０のビジー状態を判断することにより、実際にネットワークリソースを使用して内線１に着信させ、内線１自身がビジー状態を判断して切断を行なうという処理をしないで、ビジー状態を判定することができる。
【００３１】
次に図１及び図４を参照して本発明の第２実施形態を説明する。
【００３２】
この第２実施形態は、上記図１に示すマルチメディア通信システムに於いて、ゲートキーパ（ＧＫ）３０の交換制御手段に、内線ｉのコンピュータ（ＰＣ）１０の着信時及び通常発信時は、実通話数を加算し、転送のための発信時は実通話数を加算しない制御手段を有して、実通話数を実際に通話が行なわれている数と一致させる構成としたことを特徴とする。これにより、転送のための発信を実通話数に加えないことから、内線ｉのコンピュータ（ＰＣ）１０へ着信可能な最大数まで着信させることができる。
【００３３】
ここで、図４を参照して、内線１のコンピュータ（ＰＣ）１０の実通話数が「８」、最大通話数が「１０」のときに、新規着信があり、応答後、転送のための２者目発信を行なう際の動作について説明する。尚、内線１のコンピュータ（ＰＣ）１０は、着信があると自動的に応答し、音声メッセージを送出した後、他の内線に転送のための発信を行ない、転送先応答後、転送を起動する機能を有する。また、音声メッセージの再生は１０通話分まで可能であるとする。
【００３４】
処理（１）
ゲートキーパ（ＧＫ）３０がマルチメディアルータ（ＭＭＲ１）２０より内線１のコンピュータ（ＰＣ）１０に対する呼接続信号を受信する。
【００３５】
処理（２）
ゲートキーパ（ＧＫ）３０は内線１のコンピュータ（ＰＣ）１０の最大通話数「１０」、実通話数「８」より、着信可能と判断し、内線１のコンピュータ（ＰＣ）１０に呼接続信号を中継し、内線１のコンピュータ（ＰＣ）１０の実通話数を「８」から「９」に加算する。
【００３６】
処理（３）
内線１のコンピュータ（ＰＣ）１０が呼接続信号を受信し、自動応答することにより、マルチメディアルータ（ＭＭＲ１）２０を介して内線１のコンピュータ（ＰＣ）１０と外線との間の通話が確立され、外線に音声メッセージが送出される。
【００３７】
処理（４）
内線１のコンピュータ（ＰＣ）１０はゲートキーパ（ＧＫ）３０を経由して内線２のコンピュータ（ＰＣ）１０に転送用の呼接続信号を送信する。このときゲートキーパ（ＧＫ）３０は内線１のコンピュータ（ＰＣ）１０の実通話数「９」になにも加算しない。
【００３８】
処理（５）
ゲートキーパ（ＧＫ）３０がマルチメディアルータ（ＭＭＲ１）２０より内線１のコンピュータ（ＰＣ）１０に対する新規着信である呼接続信号を受信する。
【００３９】
処理（６）
ゲートキーパ（ＧＫ）３０は内線１のコンピュータ（ＰＣ）１０の最大通話数「１０」、実通話数「９」より、着信可能と判断し、内線１のコンピュータ（ＰＣ）１０に呼接続信号を中継し、内線１のコンピュータ（ＰＣ）１０の実通話数を「９」から「１０」に加算する。
【００４０】
処理（７）
上記処理（４）で着信した呼接続信号に対し、内線２のコンピュータ（ＰＣ）１０が応答することにより、内線１のコンピュータ（ＰＣ）１０と内線２のコンピュータ（ＰＣ）１０との間の通話が確立される。
【００４１】
処理（８）
内線１のコンピュータ（ＰＣ）１０が上記処理（１）で着信した呼について、転送を起動することにより、マルチメディアルータ（ＭＭＲ１）２０を介して内線２のコンピュータ（ＰＣ）１０と外線との間の通話が確立される。
【００４２】
以上のように、転送のための発信を実通話数に加えない処理により、内線１のコンピュータ（ＰＣ）１０の着信可能な最大数まで、内線１のコンピュータ（ＰＣ）１０へ着信させることができる。
【００４３】
次に図１及び図５を参照して本発明の第３実施形態を説明する。
【００４４】
この第３実施形態は、上記図１に示すマルチメディア通信システムに於いて、上記ゲートキーパ（ＧＫ）３０の交換制御手段に、同報呼出の内線グループへの着信時に於いて、着信した内線グループに属する各内線のコンピュータ（ＰＣ）１０，１０，…の実通話数を加算し、呼が切断されるまで保持する制御手段を有して、通話を行なっている上記グループ内の内線ｉのコンピュータ（ＰＣ）１０が通話を保留した後、保留解除を行なう可能性のある他の全てのコンピュータの実通話数を確保する構成としたことを特徴とする。これにより、内線グループ内のコンピュータの全てについて、通話しているコンピュータが保留した際、保留解除を行なうための実通話数を確保できる。
【００４５】
ここで、図５を参照して、同報呼出の内線グループ１（メンバ：内線１、２、３）の各コンピュータ（ＰＣ）１０，１０，…に新規着信があり、応答した内線１のコンピュータ（ＰＣ）１０が保留後、内線２のコンピュータ（ＰＣ）１０が保留解除を行なう際の動作について説明する。尚、内線１、２、３の各コンピュータ（ＰＣ）１０，１０，…の最大通話数は「１」、実通話数は「０」とする。
【００４６】
処理（１）
ゲートキーパ（ＧＫ）３０がマルチメディアルータ（ＭＭＲ１）２０より内線グループ１に対する新規着信である呼接続信号を受信する。
【００４７】
処理（２）
ゲートキーパ（ＧＫ）３０は、内線１、２、３の内線１の各コンピュータ（ＰＣ）１０，１０，…の最大通話数「１」、実通話数「０」より、着信可能と判断し、内線１、２、３の各コンピュータ（ＰＣ）１０，１０，…に呼接続信号を中継し、内線１、２、３の各コンピュータ（ＰＣ）１０，１０，…の実通話数を「０」から「１」に加算する。
【００４８】
処理（３）
内線１のコンピュータ（ＰＣ）１０が応答することにより、マルチメディアルータ（ＭＭＲ１）２０を介して内線１のコンピュータ（ＰＣ）１０と外線との間の通話が確立される。
【００４９】
処理（４）
ゲートキーパ（ＧＫ）３０がマルチメディアルータ（ＭＭＲ１）２０より内線２コンピュータ（ＰＣ）１０に対する新規着信である呼接続信号を受信する。
【００５０】
処理（５）
ゲートキーパ（ＧＫ）３０は内線２のコンピュータ（ＰＣ）１０の最大通話数「１」、実通話数「１」より、ビジーと判断し、マルチメディアルータ（ＭＭＲ１）２０に呼接続信号に対する切断信号を送信する。これにより呼は切断される。
【００５１】
処理（６）
内線１のコンピュータ（ＰＣ）１０が外線との間の通話中の呼を保留に設定する。
【００５２】
処理（７）
内線２のコンピュータ（ＰＣ）１０が保留解除を行なう。即ち、マルチメディアルータ（ＭＭＲ１）２０を介して内線２のコンピュータ（ＰＣ）１０と外線との通話が確立される。
【００５３】
以上のように、同報呼出内線グループへの着信時に、着信した全ての内線の実通話数を加算し、その呼が切断されるまで実通話数を保持することで、内線グループ内の全内線について、通話している内線が保留した際、保留解除を行なうための実通話数を確保できる。
【００５４】
次に図１及び図６を参照して本発明の第４実施形態を説明する。
【００５５】
この第４実施形態は、上記図１に示すマルチメディア通信システムに於いて、上記ゲートキーパ（ＧＫ）３０の交換制御手段に、同報呼出の内線グループへの着信時に於いて、着信した内線グループに属するコンピュータ（ＰＣ）１０，１０，…のうち、応答あるいは他のコンピュータが保留した通話を保留解除したコンピュータの実通話数を加算する制御手段を有して、保留解除が保留したコンピュータ以外のコンピュータであるとき、保留したコンピュータの実通話数を減じることにより、実際の通話と実通話数を一致させる構成としたことを特徴とする。これにより通話を行なっていない通話機能を備えたコンピュータの通話数を別の通話に割り当てることができる。
【００５６】
ここで、図６を参照して、同報呼出の内線グループ１（メンバ：内線１、２、３）の各コンピュータ（ＰＣ）１０，１０，…に新規着信があり、応答した内線１のコンピュータ（ＰＣ）１０が保留後、内線３のコンピュータ（ＰＣ）１０が保留解除を行なう際の動作について説明する。尚、内線１、２、３の各コンピュータ（ＰＣ）１０，１０，…の最大通話数は「１」、実通話数は「０」とする。
【００５７】
処理（１）
ゲートキーパ（ＧＫ）３０がマルチメディアルータ（ＭＭＲ１）２０より内線グループ１に対する新規着信である呼接続信号を受信する。
【００５８】
処理（２）
ゲートキーパ（ＧＫ）３０は、内線１、２、３の各コンピュータ（ＰＣ）１０，１０，…の最大通話数「１」、実通話数「０」より着信可能と判断し、内線１、２、３の各コンピュータ（ＰＣ）１０，１０，…に呼接続信号を中継し、内線１、２、３の各コンピュータ（ＰＣ）１０，１０，…の実通話数を「０」から「１」に加算する。
【００５９】
処理（３）
内線１のコンピュータ（ＰＣ）１０が応答することにより、マルチメディアルータ（ＭＭＲ１）２０を介して内線１のコンピュータ（ＰＣ）１０と外線との間の通話が確立される。このとき、ゲートキーパ（ＧＫ）３０は、内線２のコンピュータ（ＰＣ）１０、及び内線３のコンピュータ（ＰＣ）１０の実通話数を「１」から「０」に減じる。
【００６０】
処理（４）
ゲートキーパ（ＧＫ）３０がマルチメディアルータ（ＭＭＲ１）２０より内線２のコンピュータ（ＰＣ）１０に対する新規着信である呼接続信号を受信する。
【００６１】
処理（５）
ゲートキーパ（ＧＫ）３０は、内線２のコンピュータ（ＰＣ）１０の最大通話数「１」、実通話数「０」より、着信可能と判断し、内線２のコンピュータ（ＰＣ）１０に呼接続信号を中継して、内線２のコンピュータ（ＰＣ）１０の実通話数を「０」から「１」に加算する。
【００６２】
処理（６）
内線２のコンピュータ（ＰＣ）１０が応答することにより、マルチメディアルータ（ＭＭＲ１）２０を介して内線２のコンピュータ（ＰＣ）１０と外線との間の通話が確立される。
【００６３】
処理（７）
内線１のコンピュータ（ＰＣ）１０が外線との間の通話中の呼を保留に設定する。
【００６４】
処理（８）
内線３のコンピュータ（ＰＣ）１０が保留解除を行なう。即ち、マルチメディアルータ（ＭＭＲ１）２０を介して内線３のコンピュータ（ＰＣ）１０と外線との通信が確立される。このとき、ゲートキーパ（ＧＫ）３０は、内線１のコンピュータ（ＰＣ）１０の実通話数を「１」から「０」に減じ、内線３のコンピュータ（ＰＣ）１０の実通話数を「０」から「１」に加算する。
【００６５】
以上のように、同報呼出内線グループへの着信時に、実際に通話を行なっているコンピュータ（ＰＣ）の実通話数のみ加算することで、通話を行なっていないコンピュータ（ＰＣ）の通話数を別の通話に割り当てることができる。
【００６６】
次に図１及び図７を参照して本発明の第５実施形態を説明する。
【００６７】
この第５実施形態は、上記図１に示すマルチメディア通信システムに於いて、上記ゲートキーパ（ＧＫ）３０の交換制御手段に、内線１〜ｎのコンピュータ（ＰＣ）１０，１０，…のうち、保留したコンピュータの実通話数を減じ、保留解除したコンピュータの実通話数を加算する制御手段を有して、保留中の通話分だけ、別の通話を行なえるようにしたことを特徴とする。これによりシステムがもつ最大通話数を有効に活用できる。
【００６８】
ここで、図７を参照して、実通話数「１」、最大通話数「１」の内線１のコンピュータ（ＰＣ）１０が、通話中の呼を保留し、新規着信を受ける際の動作について説明する。尚、内線３のコンピュータ（ＰＣ）１０に関する実通話数の加減算処理については、記述を省略する。
【００６９】
処理（１）
内線１のコンピュータ（ＰＣ）１０が内線３のコンピュータ（ＰＣ）１０と通話中とする。
【００７０】
処理（２）
内線２のコンピュータ（ＰＣ）１０がマルチメディアルータ（ＭＭＲ１）２０を介して外線と通話中とする。
【００７１】
処理（３）
内線１のコンピュータ（ＰＣ）１０が内線３のコンピュータ（ＰＣ）１０との間の通話中の呼を保留する。ゲートキーパ（ＧＫ）３０は内線１のコンピュータ（ＰＣ）１０の実通話数を「１」から「０」に減じる。
【００７２】
処理（４）
内線２のコンピュータ（ＰＣ）１０がゲートキーパ（ＧＫ）３０へ内線１のコンピュータ（ＰＣ）１０に転送のための発信を行なう。
【００７３】
処理（５）
ゲートキーパ（ＧＫ）３０は、内線１のコンピュータ（ＰＣ）１０の最大通話数「１」、実通話数「０」より、着信可能と判断し、内線１のコンピュータ（ＰＣ）１０に呼接続信号を中継して、内線１のコンピュータ（ＰＣ）１０の実通話数を「０」から「１」に加算する。
【００７４】
処理（６）
内線１のコンピュータ（ＰＣ）１０が処理（５）の呼接続信号に対して応答すると、マルチメディアルータ（ＭＭＲ１）２０を介して内線１のコンピュータ（ＰＣ）１０と外線との通話が確立される。
【００７５】
処理（７）
処理（６）により、内線２のコンピュータ（ＰＣ）１０とマルチメディアルータ（ＭＭＲ１）２０との間の呼が切断されることにより、ゲートキーパ（ＧＫ）３０は内線２のコンピュータ（ＰＣ）１０の実通話数を「１」から「０」に減じる。
【００７６】
処理（８）
内線２のコンピュータ（ＰＣ）１０が内線３のコンピュータ（ＰＣ）１０との通話の保留解除を行なう。ゲートキーパ（ＧＫ）３０は内線２のコンピュータ（ＰＣ）１０の実通話数を「０」から「１」に加算する。
【００７７】
以上のように、保留中の呼を実通話数に加算しないことにより、保留中の呼の数だけ別の通話を行なうことができる。
【００７８】
次に図１及び図８を参照して本発明の第６実施形態を説明する。
【００７９】
この第６実施形態は、上記図１に示すマルチメディア通信システムに於いて、呼接続信号内の相手識別情報に特定の識別情報を用いることにより付加サービスを起動する手段を具備する構成とした際に、上記ゲートキーパ（ＧＫ）３０の交換制御手段に、呼接続信号内の相手識別情報に付加サービス起動用の特定の識別情報が用いられているとき、対象となる内線ｉのコンピュータ（ＰＣ）１０の実通話数を加算しない制御手段を有して、付加サービスに影響されることなく、最大通話数と実通話数に基づく呼制御を可能にしたことを特徴とする。
【００８０】
ここで、図８を参照して、呼接続信号内の相手識別情報に特定の識別情報（例えば％０００１）を用いることにより、聴話機能（第３者が通話音声を聞く機能）を起動し、実際に聴話を行なう際の動作について説明する。
【００８１】
処理（１）
内線２のコンピュータ（ＰＣ）１０が、相手識別情報に聴話要求を示す識別情報（％０００１）を用いた内線１のコンピュータ（ＰＣ）１０への呼接続信号をゲートキーパ（ＧＫ）３０へ送信する。
【００８２】
処理（２）
ゲートキーパ（ＧＫ）３０は、内線１のコンピュータ（ＰＣ）１０へ呼接続信号を中継する。この際、相手識別情報に特定の識別情報（％ＸＸＸＸ）が用いられているため、内線１及び内線２のコンピュータ（ＰＣ）１０の実通話数の加算は行なわない。
【００８３】
処理（３）
内線１のコンピュータ（ＰＣ）１０と内線２のコンピュータ（ＰＣ）１０との間に聴話のための音声バスが張られる。
【００８４】
処理（４）
ゲートキーパ（ＧＫ）３０がマルチメディアルータ（ＭＭＲ１）２０より内線１のコンピュータ（ＰＣ）１０に対する新規着信である呼接続信号を受信する。
【００８５】
処理（５）
ゲートキーパ（ＧＫ）３０は、内線１のコンピュータ（ＰＣ）１０の最大通話数「１」、実通話数「０」より、着信可能と判断し、内線１のコンピュータ（ＰＣ）１０に呼接続信号を中継して、内線１のコンピュータ（ＰＣ）１０の実通話数を「０」から「１」に加算する。
【００８６】
処理（６）
内線１のコンピュータ（ＰＣ）１０が呼接続信号を受信し、応答することにより、マルチメディアルータ（ＭＭＲ１）２０を介して内線１のコンピュータ（ＰＣ）１０と外線との間の通話が確立され、通話が行なわれる。また、音声データは内線２のコンピュータ（ＰＣ）１０にも送信され、内線２のコンピュータ（ＰＣ）１０でマルチメディアルータ（ＭＭＲ１）２０と内線１のコンピュータ（ＰＣ）１０との間の通話を聴話する。
【００８７】
以上のように、呼接続信号内の相手識別情報に特定の識別情報を用いることにより、付加サービスが起動された場合は、実通話数の加算を行なわないことにより、付加サービスに影響されることなく、最大通話数と実通話数に基づく呼制御が可能になる。
【００８８】
次に図１及び図９を参照して本発明の第７実施形態を説明する。
【００８９】
この第７実施形態は、上記図１に示すマルチメディア通信システムに於いて、上記内線１〜ｎのコンピュータ（ＰＣ）１０，１０，…に、それぞれ自コンピュータの最大通話数を上記ゲートキーパ（ＧＫ）３０へ通知して設定できる手段を有し、上記ゲートキーパ（ＧＫ）３０に、上記通知された最大通話数が実通話数以上であるとき最大通話数を変更し、実通話数未満であるとき最大通話数の変更を拒否する手段を有して、実通話数が最大通話数よりも大きくならないように制御することを特徴とする。これにより内線１〜ｎのコンピュータ（ＰＣ）１０，１０，…の最大通話数をゲートキーパ（ＧＫ）３０側で設定することなく内線１〜ｎのコンピュータ（ＰＣ）１０，１０，…側で各自に設定することができる。
【００９０】
ここで、図９を参照して、内線１のコンピュータ（ＰＣ）１０がゲートキーパ（ＧＫ）３０に最大通話数を通知することにより、自らの最大通話数を設定する際の動作について説明する。ここでは、最初の状態に於ける、内線２のコンピュータ（ＰＣ）１０の最大通話数を「１」、実通話数を「１」とし、内線３のコンピュータ（ＰＣ）１０の最大通話数を「２」、実通話数を「２」とする。
【００９１】
処理（１）
新しく起動された内線１のコンピュータ（ＰＣ）１０がゲートキーパ（ＧＫ）３０に自らの最大通話数「２」を通知する。
【００９２】
処理（２）
ゲートキーパ（ＧＫ）３０は内線１のコンピュータ（ＰＣ）１０の最大通話数を「２」に設定し、設定完了通知を内線１のコンピュータ（ＰＣ）１０に送信する。
【００９３】
処理（３）
稼動中の内線２のコンピュータ（ＰＣ）１０が最大通話数を変更するために、ゲートキーパ（ＧＫ）３０に自らの最大通話数「２」を通知する。
【００９４】
処理（４）
ゲートキーパ（ＧＫ）３０は内線２のコンピュータ（ＰＣ）１０の実通話数「１」より、変更可能と判断し、最大通話数「２」を設定して、設定完了通知を内線２のコンピュータ（ＰＣ）１０に送信する。
【００９５】
処理（５）
稼動中の内線３のコンピュータ（ＰＣ）１０が最大通話数を変更するために、ゲートキーパ（ＧＫ）３０に自らの最大通話数「１」を通知する。
【００９６】
処理（６）
ゲートキーパ（ＧＫ）３０は、内線３のコンピュータ（ＰＣ）１０の実通話数「２」より、変更不可と判断し、設定拒否通知を内線３のコンピュータ（ＰＣ）１０に送信する。
【００９７】
以上のように、内線１〜ｎのコンピュータ（ＰＣ）１０，１０，…は、それぞれ内線が起動時、あるいは稼動中に、自らの最大通話数をゲートキーパ（ＧＫ）３０に通知することにより、ゲートキーパ（ＧＫ）３０側で設定を行なうことなく、各内線１〜ｎのコンピュータ（ＰＣ）１０，１０，…の最大通話数を設定できる。
【００９８】
次に図１及び図１０を参照して本発明の第８実施形態を説明する。
【００９９】
この第８実施形態は、上記図１に示すマルチメディア通信システムに於いて、ゲートキーパ（ＧＫ）３０に、内線ｉのコンピュータ（ＰＣ）１０から最大通話数の通知を受けないとき、当該コンピュータの最大通話数をデフォルト値として交換制御を行なう制御手段を有して、上記内線１〜ｎのコンピュータ（ＰＣ）１０，１０，…が上記ゲートキーパ（ＧＫ）３０に最大通話数の通知を行なうことなく、上記ゲートキーパ（ＧＫ）３０が最大通話数と実通話数に基づいて呼制御を行うことを特徴とする。
【０１００】
ここで、図１０を参照して、ゲートキーパ（ＧＫ）３０がデフォルトの最大通話数を用いることにより、内線１，２のコンピュータ（ＰＣ）１０，１０からの最大通話数の通知を受けることなく、最大通話数と実通話数に基づく呼制御を行なう際の動作について説明する。
【０１０１】
処理（１）
新しく起動した内線１のコンピュータ（ＰＣ）１０がゲートキーパ（ＧＫ）３０に起動通知を行う。ゲートキーパ（ＧＫ）３０は、内線１のコンピュータ（ＰＣ）１０の最大通話数をデフォルト値「１」に設定する。
【０１０２】
処理（２）
新しく起動した内線２のコンピュータ（ＰＣ）１０がゲートキーパ（ＧＫ）３０に起動通知を行う。ゲートキーパ（ＧＫ）３０は、内線２のコンピュータ（ＰＣ）１０の最大通話数をデフォルト値「１」に設定する。
【０１０３】
処理（３）
内線２のコンピュータ（ＰＣ）１０がゲートキーパ（ＧＫ）３０に自らの最大通話数「２」を通知する。
【０１０４】
処理（４）
ゲートキーパ（ＧＫ）３０は、内線２のコンピュータ（ＰＣ）１０の最大通話数を「２」に設定し、設定完了通知を内線２のコンピュータ（ＰＣ）１０に送信する。
【０１０５】
処理（５）
ゲートキーパ（ＧＫ）３０がマルチメディアルータ（ＭＭＲ１）２０より内線１のコンピュータ（ＰＣ）１０に対する新規着信である呼接続信号を受信する。
【０１０６】
処理（６）
ゲートキーパ（ＧＫ）３０は、内線１のコンピュータ（ＰＣ）１０の最大通話数「１」、実通話数「０」より、着信可能と判断し、内線１のコンピュータ（ＰＣ）１０に呼接続信号を中継して、内線１のコンピュータ（ＰＣ）１０の実通話数を「０」から「１」に加算する。
【０１０７】
処理（７）
内線１のコンピュータ（ＰＣ）１０が呼接続信号を受信し、応答することにより、マルチメディアルータ（ＭＭＲ１）２０を介して内線１のコンピュータ（ＰＣ）１０と外線との間の通話が確立される。
【０１０８】
以上のように、内線ｉのコンピュータ（ＰＣ）１０が自らの最大通話数の通知をゲートキーパ（ＧＫ）３０に対して行なわない（あるいは通知する機能がない）場合であっても、ゲートキーパ（ＧＫ）３０がデフォルトの最大通話数を用いることにより、最大通話数と実通話数に基づく呼制御を行なうことが可能となる。
【０１０９】
次に図１及び図１１を参照して本発明の第９実施形態を説明する。
【０１１０】
この第９実施形態は、上記図１に示すマルチメディア通信システムに於いて、上記ゲートキーパ（ＧＫ）３０に、実通話数が最大通話数未満の内線ｉのコンピュータ（ＰＣ）１０に対して新規着信を行ない、ビジー状態であることから切断された場合、あるいは新規発信が行なわれた場合に、上記内線ｉのコンピュータ（ＰＣ）に最大通話数を通知する手段を有し、上記内線ｉのコンピュータ（ＰＣ）に、上記通知された内容が誤っているとき上記ゲートキーパ（ＧＫ）３０に自コンピュータの最大通話数を通知する手段を有して、上記ゲートキーパ（ＧＫ）３０と上記内線ｉのコンピュータ（ＰＣ）とが最大通話数の整合をとることを特徴とする。
【０１１１】
ここで、図１１を参照して、ゲートキーパ（ＧＫ）３０と内線１のコンピュータ（ＰＣ）１０との間で最大通話数の認識が異なる場合に整合をとる際の動作について説明する。尚、ここでは、、最初の状態に於いて、ゲートキーパ（ＧＫ）３０が内線１のコンピュータ（ＰＣ）１０の最大通話数を「３」、実通話数を「２」と認識し、内線１のコンピュータ（ＰＣ）１０が自らの最大通話数を「２」、実通話数を「２」と認識しているものとする。
【０１１２】
処理（１）
ゲートキーパ（ＧＫ）３０がマルチメディアルータ（ＭＭＲ１）２０より内線１のコンピュータ（ＰＣ）１０に対する新規着信である呼接続信号を受信する。
【０１１３】
処理（２）
ゲートキーパ（ＧＫ）３０は、内線１のコンピュータ（ＰＣ）１０の最大通話数「３」、実通話数「２」より、着信可能と判断し、内線１のコンピュータ（ＰＣ）１０に呼接続信号を中継して、内線１のコンピュータ（ＰＣ）１０の実通話数を「２」から「３」に加算する。
【０１１４】
処理（３）
内線１のコンピュータ（ＰＣ）１０がゲートキーパ（ＧＫ）３０から呼接続信号を受信し、自身の実通話数が「２」であることからビジー状態と判断して切断信号をマルチメディアルータ（ＭＭＲ１）２０に送信する。
【０１１５】
処理（４）
ゲートキーパ（ＧＫ）３０は、切断信号が返送されたことから、内線１のコンピュータ（ＰＣ）１０に最大通話数「３」の通知を行なう。
【０１１６】
処理（５）
内線１のコンピュータ（ＰＣ）１０は、ゲートキーパ（ＧＫ）３０から通知された自らの最大通話数が間違っているため、正しい最大通話数「２」をゲートキーパ（ＧＫ）３０に通知する。
【０１１７】
処理（６）
ゲートキーパ（ＧＫ）３０は、内線１のコンピュータ（ＰＣ）１０の最大通話数を「２」に設定し、設定完了通知を内線１のコンピュータ（ＰＣ）１０に送信する。
【０１１８】
以上のように、ゲートキーパ（ＧＫ）３０と各内線１〜ｎのコンピュータ（ＰＣ）１０，１０，…との間に於いて、最大通話数の認識の違いにより、上記コンピュータ（ＰＣ）が予想外の動作を行なった場合に、ゲートキーパ（ＧＫ）３０がそのコンピュータ（ＰＣ）に最大通話数を通知することにより、最大通話数の整合をとることが可能となる。
【０１１９】
次に図１及び図１２を参照して本発明の第１０実施形態を説明する。
【０１２０】
この第１０実施形態は、上記図１に示すマルチメディア通信システムに於いて、ゲートキーパ（ＧＫ）３０に、通話機能を備えた複数のコンピュータ（ＰＣ）１０，１０，…の実通話数と最大通話数を記憶する手段、及び上記通話機能を備えたコンピュータ（ＰＣ）１０，１０，…の少なくとも一つの状態通知先コンピュータに上記実通話数と最大通話数を通知する手段を有し、上記状態通知先コンピュータ（ＰＣ）１０に、上記ゲートキーパ（ＧＫ）３０から通知された上記実通話数と最大通話数を記憶する手段、及び転送先となる通話機能を備えたコンピュータ（ＰＣ）１０…の実通話数が最大通話数に達しているか否かを判断し、最大通話数に達していなければ転送のための発信を行なう交換制御手段を有して、状態通知先の内線端末が他の端末に発信しビジーで切断されるという無駄な処理を行うことなく、各内線の空き状態及びビジー状態が判定できるようにしたことを特徴とする。
【０１２１】
ここで、図１２を参照して、上記した最大通話数と実通話数の状態通知機能を実現したシステムの動作を説明する。ここでは、内線１の実通話数が「０」、最大通話数が「１０」、内線２の実通話数が「２」、最大通話数が「３」、内線３の実通話数が「１」、最大通話数が「１」の場合に、マルチメディアルータ（ＭＭＲ１）２０を介して外線から内線１への新規着信がある際の動作について説明する。尚、ゲートキーパ（ＧＫ）３０は、すべての内線に関して、最大通話数、あるいは、実通話数が変化した場合、設定されている状態通知先に対し通知する機能を有する。また、内線１は状態通知先として設定されており、ゲートキーパ（ＧＫ）３０から通知された他の内線の最大通話数と実通話数を内部のメモリに記憶して交換制御する手段を有している。そして、内線１は着信呼をキューイングし、空き内線があれば、その内線へ転送する機能を有する。更に、外線からの着信は内線１へ着信するよう設定されているものとする。
【０１２２】
処理（１）
ゲートキーパ（ＧＫ）３０がマルチメディアルータ（ＭＭＲ１）より内線１のコンピュータ（ＰＣ）１０に対する呼接続信号を受信する。
【０１２３】
処理（２）
ゲートキーパ（ＧＫ）３０は、内線１のコンピュータ（ＰＣ）１０の最大通話数「１０」、実通話数「０」より、着信可能と判断し、内線１のコンピュータ（ＰＣ）１０に呼接続信号を中継して、内線１のコンピュータ（ＰＣ）１０の実通話数を「０」から「１」に加算する。
【０１２４】
処理（３）
ゲートキーパ（ＧＫ）３０は内線１のコンピュータ（ＰＣ）１０に対し、内線１の実通話数「１」を通知する。この際、内線１のコンピュータ（ＰＣ）１０は自端末に関する状態なので何も行わない。
【０１２５】
処理（４）
内線１のコンピュータ（ＰＣ）１０が呼接続信号を受信して、応答することにより、ゲートキーパ（ＧＫ）３０を経由して、内線１のコンピュータ（ＰＣ）１０と外線との間の通話が確立される。
【０１２６】
処理（５）
内線１のコンピュータ（ＰＣ）１０は、内線２のコンピュータ（ＰＣ）１０の最大通話数「３」、実通話数「２」より、内線２のコンピュータ（ＰＣ）１０が着信可能であると判断し、内線２のコンピュータ（ＰＣ）１０に対して、転送のための発信を行う。
【０１２７】
処理（６）
ゲートキーパ（ＧＫ）３０は、内線２のコンピュータ（ＰＣ）１０の最大通話数「３」、実通話数「２」より、内線２のコンピュータ（ＰＣ）１０が着信可能であると判断し、内線２のコンピュータ（ＰＣ）１０に呼設定信号を中継するとともに、内線２のコンピュータ（ＰＣ）１０の実通話数を「２」から「３」に加算する。
【０１２８】
処理（７）
ゲートキーパ（ＧＫ）３０は、内線１のコンピュータ（ＰＣ）１０に対して、内線２のコンピュータ（ＰＣ）１０の実通話数「３」を通知する。
【０１２９】
処理（８）
内線２のコンピュータ（ＰＣ）１０が応答した後、内線１のコンピュータ（ＰＣ）１０が転送を起動することにより、マルチメディアルータ（ＭＭＲ１）２０を経由して外線と内線２のコンピュータ（ＰＣ）１０との通話が確立される。
【０１３０】
以上のように、ゲートキーパ（ＧＫ）３０が各内線１〜ｎのコンピュータ（ＰＣ）１０，１０，…の最大通話数及び実通話数を状態通知先の内線１のコンピュータ（ＰＣ）１０に通知することにより、状態通知先の内線１のコンピュータ（ＰＣ）１０は、他のすべての内線のコンピュータ（ＰＣ）１０，１０，…に発信しビジーで切断されるという、時間とネットワークリソースを使用することなく、無駄な処理を排除して他のすべての内線のコンピュータ（ＰＣ）１０，１０，…の空き状態及びビジー状態を判定することができる。従って、上記した実施形態に於いて内線１のコンピュータ（ＰＣ）１０は内線３のコンピュータ（ＰＣ）１０がビジー状態であると認識しているため、内線３のコンピュータ（ＰＣ）１０への転送が発生したとしても、その発信は行わない。これにより状態通知先の内線端末は他の端末に発信しビジーで切断されるという無駄な処理を行うことなく、各内線の空き状態及びビジー状態を判定できる
【０１３１】
【発明の効果】
以上詳記したように本発明によれば、マルチメディア通信システムに於いて、通話機能を備えたコンピュータのビジー状態を、実際にネットワークリソースを使用して通話機能を備えたコンピュータに着信させることなくゲートキーパ（ＧＫ）によって判定処理することができる。
【０１３２】
即ち、本発明によれば、マルチメディア通信システムに於いて、ゲートキーパ（ＧＫ）によって内線コンピュータのビジー状態を最大通話数と実通話数に基づき判定する構成としたことにより、内線コンピュータを常に有効に稼動することのできる交換制御機能が実現できる。
【０１３３】
また、本発明によれば、ゲートキーパ（ＧＫ）の交換制御手段に、内線コンピュータの着信時及び通常発信時は実通話数を加算し、転送のための発信時は実通話数を加算しない制御手段を有して、転送のための発信を実通話数に加えないことから内線コンピュータへ着信可能な最大数まで着信させることができる。
【０１３４】
また、本発明によれば、同報呼出の内線グループへの着信時に於いて、内線グループ内のコンピュータの全てについて、通話しているコンピュータが保留した際、保留解除を行なうための実通話数が確保できる。
【０１３５】
また、本発明によれば、内線グループ内の１つの内線コンピュータが保留を解除したとき、同じグループ内の通話を行なっていない内線コンピュータの通話数を別の通話に割り当てることができる。
【０１３６】
また、本発明によれば、保留したコンピュータの実通話数を減じ、保留解除したコンピュータの実通話数を加算する制御手段を有して、保留中の通話分だけ、別の通話を行なえる構成としたことにより、システムがもつ最大通話数を有効に活用できる。
【０１３７】
また、本発明によれば、呼接続信号内の相手識別情報に特別な識別情報を用いて付加サービスを行う場合は、付加サービスに影響されることなく、最大通話数と実通話数に基づく呼制御を可能にしたシステムが構築できる。
【０１３８】
また、本発明によれば、内線コンピュータに、自コンピュータの最大通話数をゲートキーパ（ＧＫ）へ通知して設定することができる。
【０１３９】
また、本発明によれば、最大通話数をデフォルト値を用いて交換制御できる。
【０１４０】
また、本発明によれば、内線コンピュータからゲートキーパ（ＧＫ）へ最大通話数を通知して、最大通話数の整合をとることができる。
【図面の簡単な説明】
【図１】本発明の実施形態に於けるマルチメディア通信システムの構成を示すブロック図。
【図２】本発明の第１実施形態に於ける交換制御処理動作並びにその各機能を説明するための図。
【図３】本発明の第１実施形態に於ける交換制御処理動作並びにその各機能を説明するための図。
【図４】本発明の第２実施形態に於ける交換制御処理動作並びにその各機能を説明するための図。
【図５】本発明の第３実施形態に於ける交換制御処理動作並びにその各機能を説明するための図。
【図６】本発明の第４実施形態に於ける交換制御処理動作並びにその各機能を説明するための図。
【図７】本発明の第５実施形態に於ける交換制御処理動作並びにその各機能を説明するための図。
【図８】本発明の第６実施形態に於ける交換制御処理動作並びにその各機能を説明するための図。
【図９】本発明の第７実施形態に於ける交換制御処理動作並びにその各機能を説明するための図。
【図１０】本発明の第８実施形態に於ける交換制御処理動作並びにその各機能を説明するための図。
【図１１】本発明の第９実施形態に於ける交換制御処理動作並びにその各機能を説明するための図。
【図１２】本発明の第１０実施形態に於ける交換制御処理動作並びにその各機能を説明するための図。
【符号の説明】
１０…通話機能を備えたコンピュータ（ＰＣ）（内線ｉのコンピュータ（ＰＣ））
２０…ネットワーク機器（ＭＭＲ）（マルチメディアルータ（ＭＭＲ１，ＭＭＲ２））
３０…交換機能を備えたコンピュータ（ゲートキーパ（ＧＫ））
【図１】
0003974310.tif 000002
【図２】
0003974310.tif 000003
【図３】
0003974310.tif 000004
【図４】
0003974310.tif 000005
【図５】
0003974310.tif 000006
【図６】
0003974310.tif 000007
【図７】
0003974310.tif 000008
【図８】
0003974310.tif 000009
【図９】
0003974310.tif 000010
【図１０】
0003974310.tif 000011
【図１１】
0003974310.tif 000012
【図１２】
0003974310.tif 000013